(57)【要約】【課題】  選択される入力端子および出力端子に応じて適切な画質調整値を自動的に設定すること。【解決手段】  ユーザ操作によって、入力端子と出力端子との組合せが選択された場合には、入力端子に設定されている入力画質調整値と、出力端子に設定されている出力画質調整値とが加算されて処理画質調整値が決定される。画像処理手段は、入力された画像データを処理画質調整値に調整し、画像受信装置に送信する。従って、ユーザ操作によって入力端子と出力端子との組合せが変更された場合であっても、選択される入力端子および出力端子に応じて適切な画質調整値を自動的に設定することができる。【選択図】図８
2010014905.tif 000002
【特許請求の範囲】
【請求項１】
画像データを送信する複数の画像送信装置が接続可能な複数の入力端子と、
画像データを受信する複数の画像受信装置が接続可能な複数の出力端子と、
前記複数の入力端子のいずれかから入力される画像データを、後記処理画質調整値に調整して、前記複数の出力端子のいずれかから出力する画像処理手段と、
前記複数の入力端子の各々に対して入力画質調整値をユーザ操作に応じて設定する入力設定手段と、
前記複数の出力端子の各々に対して出力画質調整値をユーザ操作に応じて設定する出力設定手段と、
画像データが入力されるべき１つの前記入力端子と、画像データを出力すべき１つの前記出力端子とを選択する選択手段と、
選択されている前記入力端子に設定されている前記入力画質調整値と、選択されている前記出力端子に設定されている前記出力画質調整値とを加算して、処理画質調整値を算出する画質調整値算出手段とを備える、画像処理装置。
【請求項２】
前記入力端子毎に、前記入力画質調整値の変更値である入力値をユーザ操作に応じて入力する入力手段と、
ユーザ操作に応じて、前記入力値を適用する旨の指示が入力された場合に、前記入力値を前記入力画質調整値に加算して新たな入力画質調整値を設定する設定手段と、
各入力端子に対して、前記入力画質調整値の設定時に画像データを出力すべき１つの出力端子を対応付ける出力端子設定手段とをさらに備え、
ユーザ操作に応じて前記入力値を出力端子に適用する旨の指示が入力された場合に、前記設定手段が、前記出力端子設定手段によって前記入力端子に対応付けられている前記出力端子の前記出力画質調整値に前記入力値を加算して、新たな出力画質調整値を設定する、請求項１に記載の画像処理装置。
【請求項３】
前記入力端子毎に、前記入力画質調整値の変更値である入力値をユーザ操作に応じて入力する入力手段と、
ユーザ操作に応じて、前記入力値を適用する旨の指示が入力された場合に、前記入力値を前記入力画質調整値に加算して新たな入力画質調整値を設定する設定手段と、
各入力端子に対して、前記入力画質調整値の設定時に画像データを出力すべき１つの出力端子を対応付ける出力端子設定手段とをさらに備え、
ユーザ操作に応じて全ての入力端子に関する前記入力値を出力端子に適用する旨の指示が入力された場合に、前記設定手段が、前記出力端子設定手段によって共通の出力端子が対応付けられている各入力端子の前記入力値に基づいて共通入力値を決定し、前記共通入力値を前記出力端子の前記出力画質調整値に加算して、新たな出力画質調整値を設定する、請求項１または２に記載の画像処理装置。
【請求項４】
前記設定手段が、前記出力端子設定手段によって共通の出力端子が対応付けられている各入力端子の前記入力値のうち最小の入力値を前記共通入力値に決定する、又は、前記入力値の平均値を前記共通入力値に決定する、請求項３に記載の画像処理装置。
【請求項５】
画像データを送信する複数の画像送信装置が接続可能な複数の入力端子と、画像データを受信する複数の画像受信装置が接続可能な複数の出力端子とを備える画像処理装置の動作プログラムであって、
前記複数の入力端子のいずれかから入力される画像データを、後記処理画質調整値に調整して、前記複数の出力端子のいずれかから出力するステップと
前記複数の入力端子の各々に対して入力画質調整値をユーザ操作に応じて設定するステップと、
前記複数の出力端子の各々に対して出力画質調整値をユーザ操作に応じて設定するステップと、
画像データが入力されるべき１つの前記入力端子と、画像データを出力すべき１つの前記出力端子とを選択するステップと、
選択されている前記入力端子に設定されている入力画質調整値と、選択されている前記出力端子に設定されている出力画質調整値とを加算して、処理画質調整値を算出するステップとをコンピュータに実行させる、画像処理装置の動作プログラム。
【発明の詳細な説明】
【技術分野】
【０００１】
本発明は、複数の入力端子と複数の出力端子とを備え、入力端子から入力される画像データを画質調整して出力端子から出力する画像処理装置に関する。
【背景技術】
【０００２】
ＡＶアンプには、複数の入力端子に複数の画像送信装置（例えば、ＤＶＤプレーヤ等）を接続可能であり、複数の出力端子に複数の画像受信装置（例えば、ディスプレイ装置）を接続可能である。ＡＶアンプは、ユーザ操作によって、画質調整値（例えば、Brightness、Contrast、 Saturation等）の設定が可能になっており、ＤＶＤプレーヤから入力された画像データに対して、設定されている画質調整値に調整して、ディスプレイ装置に送信する。ここで、複数の出力端子に複数のディスプレイ装置を接続しており、各ディスプレイ装置の特性（例えば、Brightness、Contrast、 Saturation等）が異なる場合には、画像データの出力先のディスプレイ装置を切り換える毎に、ユーザ操作によって画質調整値を適切に変更する必要があり、その操作が非常に煩雑である。さらに、複数の入力端子に複数のＤＶＤプレーヤが接続され、各ＤＶＤプレーヤが出力する画像データの特性（例えば、Brightness、Contrast、 Saturation等）が異なっており、ＡＶアンプから出力する際のユーザ所望の画質調整値がＤＶＤプレーヤ毎に異なる場合には、画像データを入力するＤＶＤプレーヤを変更する毎に、ユーザ操作によって画質調整値を適切に変更する必要があり、その操作が非常に煩雑である。また、ＤＶＤプレーヤとディスプレイ装置との両方を切り換える場合には、その組合せに応じて、適切な画質調整値を判断して、画質調整値を変更する必要がある。
【０００３】
【特許文献１】特開２００７−７９１７６号公報
【特許文献２】特開２００７−７９１７７号公報
【発明の開示】
【発明が解決しようとする課題】
【０００４】
本発明は上記従来の課題を解決するためになされたものであり、その目的は、複数の入力端子および複数の出力端子を備える画像処理装置において、選択される入力端子および出力端子に応じて適切な画質調整値を自動的に設定することができる画像処理装置を提供することである。
【課題を解決するための手段】
【０００５】
本発明の好ましい実施形態による画像処理装置は、画像データを送信する複数の画像送信装置が接続可能な複数の入力端子と、画像データを受信する複数の画像受信装置が接続可能な複数の出力端子と、前記複数の入力端子のいずれかから入力される画像データを、後記処理画質調整値に調整して、前記複数の出力端子のいずれかから出力する画像処理手段と、前記複数の入力端子の各々に対して入力画質調整値をユーザ操作に応じて設定する入力設定手段と、前記複数の出力端子の各々に対して出力画質調整値をユーザ操作に応じて設定する出力設定手段と、画像データが入力されるべき１つの前記入力端子と、画像データを出力すべき１つの前記出力端子とを選択する選択手段と、選択されている前記入力端子に設定されている前記入力画質調整値と、選択されている前記出力端子に設定されている前記出力画質調整値とを加算して、処理画質調整値を算出する画質調整値算出手段とを備える。
【０００６】
ユーザ操作によって、入力端子と出力端子との組合せが選択された場合には、入力端子に設定されている入力画質調整値と、出力端子に設定されている出力画質調整値とが加算されて処理画質調整値が決定される。画像処理手段は、入力された画像データを処理画質調整値に調整し、画像受信装置に送信する。従って、ユーザ操作によって入力端子と出力端子との組合せが変更された場合であっても、選択される入力端子および出力端子に応じて適切な画質調整値を自動的に設定することができる。
【０００７】
好ましくは、前記入力端子毎に、前記入力画質調整値の変更値である入力値をユーザ操作に応じて入力する入力手段と、ユーザ操作に応じて、前記入力値を適用する旨の指示が入力された場合に、前記入力値を前記入力画質調整値に加算して新たな入力画質調整値を設定する設定手段と、各入力端子に対して、前記入力画質調整値の設定時に画像データを出力すべき１つの出力端子を対応付ける出力端子設定手段とをさらに備え、ユーザ操作に応じて前記入力値を出力端子に適用する旨の指示が入力された場合に、前記設定手段が、前記出力端子設定手段によって前記入力端子に対応付けられている前記出力端子の前記出力画質調整値に前記入力値を加算して、新たな出力画質調整値を設定する。
【０００８】
入力端子の入力画質調整値の入力値を入力したが、出力画質調整値が問題であることに気付き、出力端子の出力画質調整値の変更を希望する場合には、その旨を示す指示が入力されることによって、入力値を出力画質調整値に加算して新たな画質調整値を設定することができる。
【０００９】
好ましくは、前記入力端子毎に、前記入力画質調整値の変更値である入力値をユーザ操作に応じて入力する入力手段と、ユーザ操作に応じて、前記入力値を適用する旨の指示が入力された場合に、前記入力値を前記入力画質調整値に加算して新たな入力画質調整値を設定する設定手段と、各入力端子に対して、前記入力画質調整値の設定時に画像データを出力すべき１つの出力端子を対応付ける出力端子設定手段とをさらに備え、ユーザ操作に応じて全ての入力端子に関する前記入力値を出力端子に適用する旨の指示が入力された場合に、前記設定手段が、前記出力端子設定手段によって共通の出力端子が対応付けられている各入力端子の前記入力値に基づいて共通入力値を決定し、前記共通入力値を前記出力端子の前記出力画質調整値に加算して、新たな出力画質調整値を設定する。
【００１０】
複数の入力端子に対して重複した入力値が入力された場合には、その重複する入力値の値である共通入力値は、対応する出力端子の出力画質調整値を変更すべき値と考えられる。すなわち、入力端子側の設定ではなく出力端子側の設定に問題がある。従って、ユーザからの指示に応じて、共通入力値を決定し、共通入力値を、対応する出力端子の出力画質調整値に加算して新たな出力画質調整値を設定する。その結果、複数の入力端子に対して重複した値を各入力画質調整値に加算するという無駄な処理を省くことができる。
【００１１】
好ましくは、前記設定手段が、前記出力端子設定手段によって共通の出力端子が対応付けられている各入力端子の前記入力値のうち最小の入力値を前記共通入力値に決定する、又は、前記入力値の平均値を前記共通入力値に決定する。
【発明の効果】
【００１２】
ユーザ操作によって入力端子と出力端子との組合せが変更された場合であっても、選択される入力端子および出力端子に応じて適切な画質調整値を自動的に設定することができる。
【発明を実施するための最良の形態】
【００１３】
以下、本発明の好ましい実施形態による画像処理装置であるＡＶアンプ２０について、図面を参照して具体的に説明するが、本発明はこれらの実施形態には限定されない。
【００１４】
図１は、画像送信装置であるＤＶＤプレーヤ１０（１０Ａ〜１０Ｄ）、ＡＶアンプ２０、画像受信装置であるディスプレイ装置３０（３０Ａ〜３０Ｄ）を示すブロック図である。ＡＶアンプ２０は、ＤＶＤプレーヤ１０が接続可能な複数の画像入力端子（以下、入力端子という。）ＩＮ１〜ＩＮ４と、ディスプレイ装置３０が接続可能な複数の画像出力端子（以下、出力端子という。）ＯＵＴ１〜ＯＵＴ４とを有する。例えば、入力端子ＩＮ１〜ＩＮ３はＨＤＭＩ入力端子であり、入力端子ＩＮ４はアナログ入力端子である。例えば、出力端子ＯＵＴ１〜ＯＵＴ３はＨＤＭＩ出力端子であり、出力端子ＯＵＴ４はアナログ出力端子である。
【００１５】
入力端子ＩＮ１にはＨＤＭＩケーブルを介してＤＶＤプレーヤ１０Ａが接続され、入力端子ＩＮ２にはＨＤＭＩケーブルを介してＤＶＤプレーヤ１０Ｂが接続され、入力端子ＩＮ３にはＨＤＭＩケーブルを介してＤＶＤプレーヤ１０Ｃが接続され、入力端子ＩＮ４にはアナログケーブルを介してＤＶＤプレーヤ１０Ｄが接続されている。
【００１６】
出力端子ＯＵＴ１にはＨＤＭＩケーブルを介してディスプレイ装置３０Ａが接続され、出力端子ＯＵＴ２にはＨＤＭＩケーブルを介してディスプレイ装置３０Ｂが接続され、出力端子ＯＵＴ３にはＨＤＭＩケーブルを介してディスプレイ装置３０Ｃが接続され、出力端子ＯＵＴ４にはアナログケーブルを介してディスプレイ装置３０Ｄが接続されている。なお、少なくとも、ＡＶアンプ２０と、ＤＶＤプレーヤ１０Ａ〜１０Ｃ及びディスプレイ装置３０Ａ〜３０Ｃは、ＨＤＭＩ規格に準拠している。
【００１７】
［ＤＶＤプレーヤ１０の構成］
ＤＶＤプレーヤ１０は、再生部１１と、ＨＤＭＩ送信部１３と、システム制御部１４と、操作表示部１５と、メモリ１６と、出力端子１７とを有している。
【００１８】
再生部１１は、ＤＶＤディスク（以下、単にディスクという。）に記録されている画像データ（映像データの意味を含む、以下同様。）及び音声データをディスクから読み出して、ＨＤＭＩ送信部１３に供給する。再生部１１は、図示しない光ピックアップ、サーボ回路、ＭＰＥＧデコーダ、音声デコーダ等を含む。
【００１９】
ＨＤＭＩ送信部１３は再生部１１から供給された画像データおよび音声データを、システム制御部１４からのコマンドにより、ＨＤＭＩ規格のデータ（以下、ＨＤＭＩデータという。）に変換する。ＨＤＭＩ送信部１３は、ＨＤＭＩデータを出力端子１７を介してＡＶアンプ２０に送信する。ＨＤＭＩ送信部１３は、ＨＤＭＩデータを送受信するＴＭＤＳラインおよび接続の有無を判断するためのホットプラグラインを介して、ＡＶアンプ２０のＨＤＭＩ受信部２１に接続される。
【００２０】
システム制御部１４は、内蔵又は接続されたメモリ１６に格納されているＤＶＤプレーヤの動作プログラムに基づいて、再生部１１、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２１】
システム制御部１４は、ＣＥＣラインを介してＡＶアンプ２０のシステム制御部２３に接続され、システム制御部２３とコマンドおよび／またはデータを送受信する。
【００２２】
［ＡＶアンプの構成］
ＡＶアンプ２０は、ＨＤＭＩ受信部２１と、ＨＤＭＩ送信部２２と、システム制御部２３と、画像処理部２４と、操作表示部２５と、音声処理部２６と、入力端子ＩＮ１〜ＩＮ４と、出力端子ＯＵＴ１〜ＯＵＴ４と、メモリ（ＲＯＭ，ＲＡＭ等）２８とを有している。
【００２３】
ＨＤＭＩ受信部２１は、入力端子ＩＮ１〜ＩＮ３のいずれかに（すなわち、ＤＶＤプレーヤ１０Ａ〜１０Ｃのいずれかから）供給されたＨＤＭＩデータを受信して、受信したＨＤＭＩデータから元の画像データ（ＨＤＭＩ変換前の画像データ）を生成して、画像処理部２４に供給する。また、ＨＤＭＩ受信部２１は、受信したＨＤＭＩデータから元の音声データを生成して、音声処理部２６に供給する。
【００２４】
画像処理部２４は、ＨＤＭＩ受信部２１から供給された画像データを、システム制御部２３によって算出された画質調整値（以下、処理画質調整値という。）に調整して、ＨＤＭＩ送信部２２又は出力端子ＯＵＴ４に出力する。また、画像処理部２４は、入力端子ＩＮ４に（すなわち、ＤＶＤプレーヤ１０Ｄから）供給された画像データを受信して、画像データをシステム制御部２３によって算出された処理画質調整値に調整して、ＨＤＭＩ送信部２２又は出力端子ＯＵＴ４に供給する。
【００２５】
画質調整値は、例えば図２に示すように、Brightness（輝度）、Contrast（コントラスト）、Saturation（色合い）等を含む。
【００２６】
ＨＤＭＩ送信部２２は、画像処理部２４から供給された画像データをＨＤＭＩデータに変換する。ＨＤＭＩ送信部２２は、変換したＨＤＭＩデータを、出力端子ＯＵＴ１〜ＯＵＴ３のいずれかに（すなわち、ディスプレイ装置３０Ａ〜３０Ｃのいずれかに）供給する。
【００２７】
音声処理部２６は、ＨＤＭＩ受信部２１から供給された音声データをデコードし、遅延処理、イコライザ処理、Ｄ／Ａ変換処理、音量調整処理、増幅処理等の各処理を実行し、外部に接続されたスピーカー６０に音声信号を供給する。
【００２８】
また、ＡＶアンプ２０は、図示しないセレクタを備えている。セレクタは、セレクタ１〜４に対応付けて、複数の入力端子ＩＮ１〜ＩＮ４をユーザ操作によって予め割り当てておき、ユーザ操作によって所望のセレクタが選択されることにより、所望の入力端子を選択するものである。また、ＡＶアンプ２０は、セレクタとは別に、画像データの出力先である出力端子をユーザ操作によって選択できるようになっている。ＡＶアンプ２０は、選択されたセレクタに割り当てられている入力端子から入力された画像データを、選択された出力端子から出力する。メモリ２８には、図３に示すセレクタテーブルが記憶されており、例えば、セレクタ１〜４に対して、入力端子ＩＮ１〜ＩＮ４がユーザ操作によって割り当てられる。セレクタは、スイッチ回路などの周知の技術によって実現されている。また、選択された出力端子の情報もメモリ２８に記憶されている。
【００２９】
システム制御部２３は、内蔵又は接続されたメモリ２８に記憶されているＡＶアンプの動作プログラムに基づいて、ＨＤＭＩ受信部２１、ＨＤＭＩ送信部２２、画像処理部２４、操作表示部２５、音声処理部２６、メモリ２８等を制御するものであり、例えば、マイクロコンピュータやＣＰＵ等である。システム制御部２３は、操作表示部２５からの操作入力または各部からの制御信号およびデータに基づいて各種処理を実行する。システム制御部２３は、ＣＥＣラインを介してＤＶＤプレーヤ１０Ａ〜１０Ｃのシステム制御部１４に接続され、システム制御部１４とコマンドおよびデータを送受信する。同様に、システム制御部２３は、ＣＥＣラインを介してディスプレイ装置３０Ａ〜３０Ｃのシステム制御部４２に接続され、システム制御部４２とコマンドおよびデータを送受信する。
【００３０】
画像処理装置２４が画像データを調整する処理画質調整値は、選択されたセレクタに割り当てられている入力端子と、選択された出力端子との組合せによって、システム制御部２３によって算出される。詳細には、選択された入力端子に設定されている入力画質調整値と、選択された出力端子に設定されている出力画質調整値とが加算されて、画像処理部２４が調整する処理画質調整値が算出される。
【００３１】
メモリ２８には、図４に示す入力画質調整値テーブルと、図５に示す出力画質調整値テーブルとが格納されている。入力画質調整値テーブルは、ユーザ操作に応じて、入力端子ＩＮ１〜ＩＮ４に対して画質調整値（以下、入力画質調整値という。）を設定するためのテーブルである。なお、実際のユーザ操作としては、入力端子に対して入力画質調整値を設定する代わりに、セレクタ１〜４に対して入力画質調整値を設定するようになっている。出力画質調整値テーブルは、ユーザ操作に応じて、出力端子ＯＵＴ１〜ＯＵＴ４に対して画質調整値（以下、出力画質調整値という。）を設定するためのテーブルである。図６に示す入力画質調整値設定画面と、図７に示す出力画質調整値設定画面とが、操作表示部２５に表示されて（又はディスプレイ装置３０にＯＳＤ出力されて）、ユーザ操作によって各画質調整値が入力されて設定される。
【００３２】
［ディスプレイ装置３０の構成］
ディスプレイ装置３０は、ＨＤＭＩ受信部４１と、システム制御部４２と、画像処理部４３と、表示部４４と、メモリ（ＲＯＭ、ＲＡＭ等）４５と、操作部４６と、入力端子４７とを備える。
【００３３】
ＨＤＭＩ受信部４１は、ＡＶアンプ２０のＨＤＭＩ送信部２２から送信されたＨＤＭＩデータを受信して、受信したＨＤＭＩデータから元の画像データを生成し、画像処理部４３に供給する。画像処理部４３は、供給された画像データに対して必要に応じて画像処理を実行し、表示部４４に供給する。
【００３４】
表示部４４は、画像処理部４３から画像データが供給され、当該画像データに基づいて画像を表示するものであり、例えば、ＬＣＤまたはＣＲＴ等である。
【００３５】
システム制御部４２は、ＨＤＭＩ受信部４１、画像処理部４３、表示部４４、メモリ４５等を制御するものであり、例えば、マイクロコンピュータ等である。システム制御部４３は、操作部４６からの操作入力または各部からの制御信号およびデータに基づいて各種処理を実行する。
【００３６】
メモリ４５には、ディスプレイ装置３０が対応可能な（表示部４４で表示可能な）解像度の種類を含むＥＤＩＤが予め記憶されている。このＥＤＩＤは、ＤＤＣラインを介して、ＡＶアンプ２０のシステム制御部２３によって読み出される。
【００３７】
以下、本発明の動作を説明する。ここでは、画質調整値がBrightnessである場合を例に説明し、入力画質調整値を入力Brightnessといい、出力画質調整値を出力Brightnessといい、処理画質調整値を処理Brightnessという。なお、他の画質調整値についても同様である。
【００３８】
［処理Brightnessの算出処理］
図８は、画像処理部２４が画像データに対して調整する処理Brightnessを算出するシステム制御部２３の処理を示すフローチャートである。システム制御部２３は、選択されているセレクタに割り当てられている入力端子を判別し、図４の入力画質調整値テーブルから、当該入力端子の対応する入力Brightnessを読み出す（Ｓ１）。続いて、システム制御部２３は、選択されている出力端子を判別して、図５の出力画質調整値テーブルから、当該出力端子の対応する出力Brightnessを読み出す（Ｓ２）。システム制御部２３は、読み出した入力Brightnessと出力Brightnessとを加算して、処理Brightnessを算出し、画像処理部２４に処理Brightnessに画像データを調整するように指示する（Ｓ３）。例えば、入力端子１と出力端子１との組合せが選択された場合には、入力Brightnessは「１０」であり、出力Brightnessは「２０」であるので、処理Brightnessは「３０」に算出される。
【００３９】
［入力Brightnessの設定処理］
図９は、システム制御部２３による入力Brightnessの設定処理を示すフローチャートである。システム制御部２３は、ユーザ操作に応じて、入力Brightnessを設定する入力端子を選択する。例えば、入力端子ＩＮ１が選択された場合、図６（ａ）に示す設定画面が表示される。最初、図４に示すように入力端子ＩＮ１の入力Brightnessが「１０」であり、入力値が入力される前には、図６（ａ）のように現在の入力Brightness「１０」が二本線のカーソルで表されている。
【００４０】
ここで、図４の入力画質調整値テーブルについて詳述する。入力画質調整値テーブルには、入力端子ＩＮ１〜ＩＮ４に対応付けて、入力Brightnessと、入力値と、フラグと、出力端子とが登録される。入力Brightnessは、その入力端子に設定されている入力Brightnessである。入力値は、ユーザ操作によって入力された入力Brightnessの変更値であり、未だ入力Brightnessへの変更が反映されていない値である。入力値が入力されている状態ではフラグが１にセットされ、入力値が入力されていない状態ではフラグが０にリセットされている。図４の入力端子ＩＮ１については、入力Brightnessが１０であり、入力値が１３である。
【００４１】
図４の入力画質調整値テーブルにおける出力端子には、入力Brightnessの設定時に（つまり、ユーザ操作によって図６の設定画面を使って入力値が入力される際に）、入力値を入力Brightnessに加算した後の入力Brightnessを確認するための画像データを出力する先のディスプレイ装置３０が接続されている出力端子を表している。すなわち、入力端子ＩＮ１については、出力端子ＯＵＴ３から画像データを出力して、出力端子ＯＵＴ３に接続されているディスプレイ装置３０に画像を表示させ、ユーザは、その画像を見ながら入力Brightnessの入力値を調整する。なお、実際には、入力値を入力Brightnessに加算した変更後の入力Brightnessに、さらに出力端子ＯＵＴ３に設定されている出力Brightnessを加算した処理Brightnessに調整された画像データが出力端子ＯＵＴ３から出力される（但し、これに限定されず、入力値を入力Brightnessに加算した変更後の入力Brightnessに調整された画像データが出力されてもよい）。
【００４２】
図９のように、システム制御部２３は、ユーザ操作によって入力値が入力されたか否かを判断する（Ｓ２２）。図６（ａ）の状態から二本線のカーソルが右方向（増加方向）に操作されて入力値が入力される（例えば入力値「１３」が入力される）（Ｓ２２でＹＥＳ）と、図６（ｂ）のように入力Brightness「１０」が一本線で表され、入力Brightnessに入力値を加算した後の値「２３」が二本線のカーソルで表される。システム制御部２３は、図４において、入力端子ＩＮ１の入力値に、入力された入力値「１３」を登録し、フラグを１にセットする（Ｓ２３）。このとき、画像処理部２４は入力Brightnessに入力値を加算した値「２３」に出力端子ＯＵＴ３の出力Brightness「１３」を加算した値「３６」に画像データを調整し、出力端子ＯＵＴ３から画像データを出力している。なお、以下で説明する「適用」ボタン又は「出力へ適用」ボタンが操作されるまで（Ｓ２４でＮＯ、Ｓ２７でＮＯ）は、ユーザ操作によって入力値を適宜変更することが可能である。
【００４３】
システム制御部２３は「適用」ボタンが操作されたか否かを判断している（Ｓ２４）。「適用」ボタンが操作されなければ（Ｓ２４でＮＯ）、Ｓ２７に進む。「適用」ボタンが操作されると（Ｓ２４でＹＥＳ）、システム制御部２３は、入力Brightness「１０」に入力値「１３」を加算した値「２３」を新たな入力Brightnessに設定する（Ｓ２５）。従って、システム制御部２３は、図４において、入力端子ＩＮ１に対する入力Brightnessを「２３」に変更し、入力値を「０」に変更し、フラグを０にリセットする（Ｓ２５，Ｓ２６）。このとき、図６（ｃ）のように、新たな入力Brightnessが二本線のカーソルで表示されている。その後、Ｓ２２に戻り、新たに入力値が入力されたか否かを再び判断する。
【００４４】
従って、ユーザ操作によって入力端子ＩＮ１と出力端子ＯＵＴ３とが選択された場合に、入力Brightness「２３」と出力Brightness「１３」とが加算され、処理Brightnessは３６になる。
【００４５】
Ｓ２７において、システム制御部２３は「出力へ適用」ボタンが操作されたか否かを判断している（Ｓ２７）。「出力へ適用」ボタンが操作されなければ（Ｓ２７でＮＯ）、Ｓ２２に戻る。一方、「出力へ適用」ボタンが操作されると（Ｓ２７でＹＥＳ）、システム制御部２３は、入力端子ＩＮ１の入力Brightnessに入力値を加算する代わりに、図４において入力端子ＩＮ１に対応付けられている（すなわち、入力Brightnessの設定時における画像データ出力先の）出力端子ＯＵＴ３の出力Brightnessに入力値を加算する（Ｓ２８）。すなわち、図５のように、出力端子ＯＵＴ３の出力Brightness「１３」に入力値「１３」を加算して、新たな出力Brightness「２６」算出する（図５の出力端子ＯＵＴ３の出力Brightnessの項を「２６」に変更する）。その後、図４の入力端子ＩＮ１に対するフラグを０にリセットする（Ｓ２９）。
【００４６】
このように、入力Brightnessの入力値を入力し、その入力値を出力Brightnessに反映させるのは次の理由による。処理Brightnessがユーザの好みに合わない場合、入力Brightnessの入力値を入力したものの、入力Brightnessは適切であるが、出力Brightnessが不適切である場合がある。この場合、入力端子ＩＮ１の入力Brightnessを変更し、出力端子ＯＵＴ３の出力Brightnessを変更させなければ、例えば、他の入力端子ＩＮ２と出力端子ＯＵＴ３との組合せが選択された際にも、処理Brightnessがユーザの好みに合わない値になってしまう。そこで、そのことにユーザが気付いた際に、入力Brightnessの入力値を出力Brightnessに適用させることによって、他の入力端子ＩＮ２と出力端子ＯＵＴ３との組合せが選択された際にも、ユーザの好みに合った処理Brightnessで画像データを出力することができる。
【００４７】
［出力Brightnessの設定処理］
図１０は、システム制御部２３による出力Brightnessの設定処理を示すフローチャートである。システム制御部２３は、ユーザ操作に応じて、出力Brightnessを設定する出力端子を選択する（Ｓ１１）。例えば、出力端子ＯＵＴ１が選択された場合、図７（ａ）に示す設定画面が表示される。最初、図５に示すように出力端子ＯＵＴ１の出力Brightnessが「２０」であり、入力値が入力される前には、図７（ａ）のように現在の出力Brightness「２０」が二本線で表されている。
【００４８】
ここで、図５の出力画質調整値テーブルについて詳述する。出力画質調整値テーブルには、出力力端子ＯＵＴ１〜ＯＵＴ４に対応付けて、出力Brightnessと、入力値と、フラグとが登録される。出力Brightnessは、その出力端子に設定されている出力Brightnessである。入力値は、ユーザ操作によって入力された出力Brightnessの変更値であり、未だ出力Brightnessへの変更が反映されていない値である。入力値が入力されている状態ではフラグが１にセットされ、入力値が入力されていない状態ではフラグが０にリセットされている。図５の出力端子ＯＵＴ１については、出力Brightnessが２０であり、入力値が１０である。なお、入力値を出力Brightnessに加算した変更後の出力Brightnessに調整された画像データが出力端子から出力される。
【００４９】
図１０のように、システム制御部２３は、ユーザ操作によって入力値が入力されたか否かを判断する（Ｓ１２）。図７（ａ）の状態から二本線のカーソルが右方向（増加方向）に操作されて入力値が入力される（例えば入力値「１０」が入力される）（Ｓ１２でＹＥＳ）と、図７（ａ）のように出力Brightness「２０」が一本線で表され、出力Brightnessに入力値を加算した後の値「３０」が二本線のカーソルで表される。システム制御部２３は、図５において、出力端子ＯＵＴ１の入力値に、入力された入力値「１０」を登録し、フラグを１にセットする（Ｓ１３）。このとき、画像処理部２４は出力Brightnessに入力値を加算した値「３０」に画像データを調整し、出力端子ＯＵＴ１から画像データを出力している。なお、以下で説明する「適用」ボタンが操作されるまで（Ｓ１４でＮＯ）は、ユーザ操作によって入力値を適宜変更することが可能である。
【００５０】
システム制御部２３は「適用」ボタンが操作されたか否かを判断している（Ｓ１４）。「適用」ボタンが操作されなければ（Ｓ１４でＮＯ）、Ｓ１２に戻る。「適用」ボタンが操作されると（Ｓ１４でＹＥＳ）、システム制御部２３は、出力Brightness「２０」に入力値「１０」を加算した値「３０」を新たな出力Brightnessに決定する（Ｓ１５）。従って、システム制御部２３は、図５において、出力端子ＯＵＴ１に対する出力Brightnessを「３０」に変更し、入力値を「０」に変更し、フラグを０にリセットする（Ｓ１５，Ｓ１６）。このとき、図７（ｃ）のように、新たな出力Brightnessが二本線で表示されている。その後、Ｓ１２に戻り、新たに入力値が入力されたか否かを再び判断する。
【００５１】
従って、ユーザ操作によって出力端子ＯＵＴ１と入力端子ＩＮ１とが選択された場合に、入力Brightness「１０」と出力Brightness「３０」とが加算され、処理Brightnessは４０になる。
【００５２】
［全入力端子に対する入力値を、対応する出力端子に適用する処理］
本例では、図４において同一の出力端子が対応付けられている複数の入力端子にそれぞれ入力値が入力され、「適用」ボタンが未操作の状況では、各入力端子の入力Brightnessに入力値を適用するよりも、各入力値のうち共通する値（共通入力値）を出力端子の出力Brightnessに適用する方がよい。各入力値のうち共通入力値については、出力端子の出力Brightnessに問題があると考えられるからである。
【００５３】
図１１は、本例の動作を示すフローチャートである。システム制御部２３は、図１２の設定画面において、「全入力の入力値を出力へ適用」ボタンが操作されたか否かを判断する（Ｓ３１）。「全入力の入力値を出力へ適用」ボタンが操作された場合（Ｓ３１でＹＥＳ）、システム制御部２３は、図４の入力画質調整値テーブルにおいて、フラグが１にセットされている（すなわち、入力値が入力されている）入力端子のみを抽出する（Ｓ３２）。図４では、入力端子ＩＮ１，ＩＮ３，ＩＮ４が抽出される。
【００５４】
続いて、システム制御部２３は、対応付けられている出力端子毎に、抽出した入力端子をグループ化する（Ｓ３３）。図４では、出力端子ＯＵＴ２が対応付けられている入力端子ＩＮ４のグループ（図１３）と、出力端子ＯＵＴ３が対応付けられている入力端子ＩＮ１，ＩＮ３のグループ（図１４）とに区分される。
【００５５】
続いて、システム制御部２３は、各グループのうち１つのグループを選択する（Ｓ３４）。ここでは、出力端子ＯＵＴ２が対応付けられている入力端子ＩＮ４のグループを選択する。そして、選択されたグループに含まれる入力端子の入力値の中で最小の入力値（但し、例えば正の値に限る）を共通入力値と決定する（Ｓ３５）。この場合は、入力端子ＩＮ４のみであるので入力値「４」がそのまま共通入力値となる。
【００５６】
続いて、システム制御部２３は、出力端子ＯＵＴ２の出力Brightnessに共通入力値「４」を加算して新たな出力Brightnessを算出する（Ｓ３６）。この場合、図５の出力画質調整値テーブルから、図１７に示すように出力端子ＯＵＴ２の出力Brightnessを「５」から「９」に変更する。次に、システム制御部２３は、グループ内の入力端子の入力値から共通入力値を減算する（Ｓ３７）。この場合、図１５のように、入力端子ＩＮ４の入力値を「４」から「０」に変更する。なお、入力値が「０」になった場合にはフラグを０にリセットしてもよい。
【００５７】
次に、システム制御部２３は、全ての出力端子のグループについて上記の処理を実行したか否かを判断し（Ｓ３８）、全てのグループについて処理を完了していなければ（Ｓ３８でＮＯ）、Ｓ３４に戻る。この場合、出力端子ＯＵＴ３のグループについて処理するためにＳ３４に戻る。
【００５８】
システム制御部２３は、出力端子ＯＵＴ３が対応付けられている入力端子ＩＮ１，ＩＮ３のグループを選択する（Ｓ３４）。そして、選択されたグループに含まれる入力端子の入力値の中で最小の入力値「５」を共通入力値と決定する（Ｓ３５）。続いて、システム制御部２３は、出力端子ＯＵＴ３の出力Brightnessに共通入力値「５」を加算して新たな出力Brightnessを算出する（Ｓ３６）。この場合、図５の出力調整テーブルから、図１７に示すように、出力端子ＯＵＴ３の出力Brightnessを「１３」から「１８」に変更する。次に、システム制御部２３は、グループ内の入力端子の入力値から共通入力値を減算する（Ｓ３７）。この場合、図１６のように、入力端子ＩＮ１の入力値を「１３」から「８」に変更し、入力端子ＩＮ３の入力値を「５」から「０」に変更する。その後、Ｓ３８でＹＥＳと判断され、処理を終了する。
【００５９】
以上のように、入力端子の入力値のうち共通入力値については、対応する出力端子の出力Brightnessに加算することによって、複数の入力端子の入力Brightnessを重複した値、変更することを防止することができる。
【００６０】
なお、共通入力値の算出方法としてはグループ内の最小の入力値を共通入力値とする方法に限定されず、グループ内の入力端子の全入力値の平均値を共通入力値とすることもできる。この場合、入力端子ＩＮ４のグループについて共通入力値は「４」となり、入力端子ＩＮ１，ＩＮ３のグループについて共通入力値は「９」となる。その結果、図５において、出力端子ＯＵＴ３の出力Brightnessは「１３」から「２２」に変更され、図１４において入力端子ＩＮ１の入力値は「１３」から「４」に、入力端子ＩＮ３の入力値は「５」から「−４」に変更される。また、入力値と入力Brightnessとの合計の最小入力値または平均値を共通入力値としてもよい。
【００６１】
以上、本発明の好ましい実施形態を説明したが、本発明はこれらの実施形態には限定されない。画像送信装置は、ＤＶＤプレーヤに限らずＢＤレコーダ、セットトップボックス、ゲーム機等であってもよい。同様に、画像受信装置は、プロジェクタ等であってもよい。ＡＶアンプの上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＣＰＵ、マイコンなどの電子部品という形態で提供されてもよい。
【産業上の利用可能性】
【００６２】
本発明は、ＡＶアンプ等に好適に採用され得る。
【図面の簡単な説明】
【００６３】
【図１】本発明の好ましい実施形態によるＡＶアンプを示すブロック図である。
【図２】画質調整値の一例を示す図である。
【図３】セレクタテーブルを示す図である。
【図４】入力画質調整値テーブルを示す図である。
【図５】出力画質調整値テーブルを示す図である。
【図６】入力画質調整値の設定画面を示す図である。
【図７】出力画質調整値の設定画面を示す図である。
【図８】処理画質調整値を算出する処理を示すフローチャートである。
【図９】入力画質調整値の設定処理を示すフローチャートである。
【図１０】出力画質調整値の設定処理を示すフローチャートである。
【図１１】全入力端子の入力値を出力画質調整値に適用する処理を示すフローチャートである。
【図１２】全入力端子の入力値を出力画質調整値に適用する設定画面を示す図である。
【図１３】全入力端子の入力値を出力画質調整値に適用する際のメモリ上のデータを示す図である。
【図１４】全入力端子の入力値を出力画質調整値に適用する際のメモリ上のデータを示す図である。
【図１５】全入力端子の入力値を出力画質調整値に適用する際のメモリ上のデータを示す図である。
【図１６】全入力端子の入力値を出力画質調整値に適用する際のメモリ上のデータを示す図である。
【図１７】全入力端子の入力値を出力画質調整値に適用する際の出力画質調整値テーブルを示す図である。
【符号の説明】
【００６４】
１０                ＤＶＤプレーヤ
２０                ＡＶアンプ
２１                ＨＤＭＩ受信部
２２                ＨＤＭＩ送信部
２３                システム制御部
２４                画像処理部
ＩＮ１〜ＩＮ４      入力端子
ＯＵＴ１〜ＯＵＴ４  出力端子
３０                ディスプレイ装置
【図１】
2010014905.tif 000003
【図２】
2010014905.tif 000004
【図３】
2010014905.tif 000005
【図４】
2010014905.tif 000006
【図５】
2010014905.tif 000007
【図６】
2010014905.tif 000008
【図７】
2010014905.tif 000009
【図８】
2010014905.tif 000010
【図９】
2010014905.tif 000011
【図１０】
2010014905.tif 000012
【図１１】
2010014905.tif 000013
【図１２】
2010014905.tif 000014
【図１３】
2010014905.tif 000015
【図１４】
2010014905.tif 000016
【図１５】
2010014905.tif 000017
【図１６】
2010014905.tif 000018
【図１７】
2010014905.tif 000019